(57)【特許請求の範囲】
【請求項１】
電子部品と、
前記電子部品の一方の主面が露出する状態で、前記電子部品を内蔵する樹脂構造体と、
前記樹脂構造体と前記電子部品のそれぞれの表面の少なくとも一部に形成された配線層とを備え、
前記電子部品は、
素体と、
前記素体に内蔵され、前記配線層と接続された内部電極と、
前記素体において、少なくとも、前記内部電極と前記内部電極に最も近い前記樹脂構造体の側面との間の調整領域に設けられた調整電極と、を有し、
前記配線層は、前記内部電極、前記調整領域および前記樹脂構造体の上に連続して設けられており、
前記樹脂構造体の熱膨張係数、前記調整領域の熱膨張係数および前記内部電極の熱膨張係数は、
前記樹脂構造体の熱膨張係数≦前記調整領域の熱膨張係数≦前記内部電極の熱膨張係数という関係式を満たす、
電子部品装置。
【請求項２】
前記調整電極の熱膨張係数は、前記素体の熱膨張係数よりも大きい、
請求項１に記載の電子部品装置。
【請求項３】
前記調整電極は、前記樹脂構造体と接触している、
請求項１または２に記載の電子部品装置。
【請求項４】
前記調整電極は、前記内部電極と接触している、
請求項１〜３のいずれか１項に記載の電子部品装置。
【請求項５】
前記調整電極は、前記内部電極に沿って前記素体の深さ方向に複数配置されている、
請求項１〜４のいずれか１項に記載の電子部品装置。
【請求項６】
前記複数の調整電極は、前記素体の深さ方向の厚さが同一である、
請求項５に記載の電子部品装置。
【請求項７】
前記複数の調整電極は、前記内部電極に沿って前記素体の深さ方向に周期的に配置されている、
請求項５または６に記載の電子部品装置。
【請求項８】
前記調整電極は、金属により構成されている、
請求項１〜７のいずれか１項に記載の電子部品装置。
【請求項９】
前記調整電極は、前記内部電極と同一の材料により構成されている、
請求項１〜８のいずれか１項に記載の電子部品装置。
【請求項１０】
前記調整電極は、前記内部電極から突出して形成されている、
請求項４に記載の電子部品装置。
【請求項１１】
前記内部電極は、第１の内部電極と前記第１の内部電極に接続された第２の内部電極とで構成され、
前記第１の内部電極および前記第２の内部電極の少なくとも１つは、インダクタである、
請求項１〜１０のいずれか１項に記載の電子部品装置。
【請求項１２】
前記内部電極は、第１の内部電極と第２の内部電極とで構成され、
前記配線層は、第１の配線層と第２の配線層とで構成され、
前記第１の内部電極は、前記第１の配線層と接続され、前記調整領域と接触しており、
前記第２の内部電極は、前記第２の配線層と接続され、前記調整領域と接触しており、
前記電子部品は、前記第１の内部電極に接続された第１の平面電極と、前記第２の内部電極に接続された第２の平面電極とで構成されるコンデンサである、
請求項１〜１０のいずれか１項に記載の電子部品装置。
【請求項１３】
前記素体は、前記配線層が形成された面側から平面視したときに矩形状の形状を有し、
前記調整電極は、前記素体の矩形状の形状の少なくとも１つの角部を構成する２つの辺それぞれの一部に沿って形成されている、
請求項１〜１２のいずれか１項に記載の電子部品装置。
【請求項１４】
実装基板と、
前記実装基板上に実装された請求項１〜１３のいずれか１項に記載の電子部品装置と、
前記電子部品装置上にさらに実装された実装部品とを備える、
電子部品装置。
【請求項１５】
前記樹脂構造体は、前記樹脂構造体の両面を貫通する貫通電極を有し、
前記貫通電極は、前記実装基板および前記配線層に接続されている、
請求項１４に記載の電子部品装置。
【請求項１６】
前記電子部品装置を複数有し、前記実装基板と前記実装部品との間に複数の前記電子部品装置が積層されている、
請求項１４または１５に記載の電子部品装置。
【請求項１７】
請求項１〜１６のいずれか１項に記載の電子部品装置を高周波素子として備える、
高周波フロントエンド回路。
【請求項１８】
アンテナ素子で送受信される高周波信号を処理するＲＦ信号処理回路と、
前記アンテナ素子と前記ＲＦ信号処理回路との間で前記高周波信号を伝達する請求項１７に記載の高周波フロントエンド回路と、を備える、
通信装置。
【発明の詳細な説明】
【技術分野】
【０００１】
本発明は、電子部品装置、高周波フロントエンド回路、及び通信装置等に関する。
【背景技術】
【０００２】
近年、セラミック等の積層体を素体として、電子部品を形成し、電子部品が形成された素体を樹脂構造体に埋め込んだ半導体パッケージ等の電子部品装置が開発されている（例えば、特許文献１参照）。【０００３】
特許文献１に記載の半導体パッケージでは、絶縁樹脂層に電子部品が内蔵された半導体パッケージが開示されている。この半導体パッケージでは、絶縁樹脂層の電子部品が配置されていない位置には、電子部品を半導体パッケージの外部の端子と接続するための貫通電極が設けられている。そして、半導体パッケージの主面において、電子部品から貫通電極まで配線層が設けられている。配線層は、電子部品から貫通電極まで絶縁樹脂層の上に引き回されている。
【先行技術文献】
【特許文献】
【０００４】
【特許文献１】特開２００５−３１０９５４号公報
【発明の概要】
【発明が解決しようとする課題】
【０００５】
しかし、電子部品装置において、電子部品が形成された領域の素体部分は例えばセラミックであり、当該素体部分を囲む領域は例えば樹脂で構成された樹脂構造体である。つまり、素体部分と当該素体部分を囲む領域とでは、熱膨張係数が異なる材料が用いられている。例えば、樹脂構造体の方が素体部分よりも熱膨張率が大きく、熱により膨張しやすいといった特徴を有している。これにより、使用環境温度の変化により、素体部分と樹脂構造体とが加熱された場合、素体部分と樹脂構造体との熱膨張係数との差により、樹脂構造体の方が素体部分よりも膨張しやすく、樹脂構造体と素体部分との境界において配線が切断してしまうという問題が生じている。【０００６】
本発明は、上記課題を解決するためになされたものであって、樹脂構造体と電子部品の素体部分との境界において配線が切断するのを抑制することができる電子部品装置、高周波フロントエンド回路、及び通信装置を提供することを目的とする。
【課題を解決するための手段】
【０００７】
上記目的を達成するために、本発明の一態様に係る電子部品装置は、電子部品と、前記電子部品の一方の主面が露出する状態で、前記電子部品を内蔵する樹脂構造体と、前記樹脂構造体の表面に形成された配線層とを備え、前記電子部品は、素体と、前記素体に内蔵され、前記配線層と接続された内部電極と、前記素体において、少なくとも、前記内部電極と前記内部電極に最も近い前記樹脂構造体の側面との間の調整領域に設けられた調整電極と、を有し、前記配線層は、前記内部電極、前記調整領域および前記樹脂構造体の上に連続して設けられており、前記樹脂構造体の熱膨張係数、前記調整領域の熱膨張係数および前記内部電極の熱膨張係数は、前記樹脂構造体の熱膨張係数≦前記調整領域の熱膨張係数≦前記内部電極の熱膨張係数という関係式を満たす。【０００８】
これにより、樹脂構造体と内部電極との間に配置されている素体部分に調整電極を配置することにより、樹脂構造体と内部電極との間の領域を調整領域として設け、樹脂構造体の熱膨張係数、調整領域の熱膨張係数および内部電極の熱膨張係数を、樹脂構造体の熱膨張係数≦調整領域の熱膨張係数≦内部電極の熱膨張係数、という関係に調整する。これにより、樹脂構造体と調整領域、および、調整領域と内部電極のそれぞれの熱膨張係数の差を小さくすることができる。したがって、樹脂構造体と内部電極との間の領域で熱膨張係数の変化を緩やかにすることができるため、樹脂構造体と素体との境界において配線が切断するのを抑制することができる。【０００９】
また、前記調整電極の熱膨張係数は、前記素体の熱膨張係数よりも大きくてもよい。【００１０】
これにより、調整領域における熱膨張係数を、調整電極を設ける前の素体の熱膨張係数よりも大きくすることができる。したがって、樹脂構造体と素体、素体と内部電極との熱膨張係数の差を小さくすることができる。よって、樹脂構造体と素体との境界において配線が切断するのを抑制することができる。【００１１】
また、前記調整電極は、前記樹脂構造体と接触していてもよい。【００１２】
これにより、調整領域において、樹脂構造体に近い側の調整領域の熱膨張係数を大きくすることができる。これにより、調整領域の熱膨張係数を樹脂構造体の熱膨張係数と素体の熱膨張係数の間の値に調整し、樹脂構造体と素体との境界での熱膨張係数の差を小さくすることができるので、樹脂構造体と素体との境界において配線が切断するのを抑制することができる。【００１３】
また、前記調整電極は、前記内部電極と接触していてもよい。【００１４】
これにより、調整領域において、内部電極に近い側の調整領域の熱膨張係数を大きくすることができる。これにより、調整領域の熱膨張係数を樹脂構造体の熱膨張係数と素体の熱膨張係数の間の値に調整樹脂構造体と素体との境界での熱膨張係数の差を小さくすることができるので、樹脂構造体と素体との境界において配線が切断するのを抑制することができる。【００１５】
また、前記調整電極は、前記内部電極に沿って前記素体の深さ方向に複数配置されていてもよい。【００１６】
これにより、素体の深さ方向の熱膨張係数を満遍なく大きくすることができる。これにより、調整領域の全体にわたって、調整領域の熱膨張係数を樹脂構造体の熱膨張係数と素体の熱膨張係数の間の値に調整することができる。したがって、樹脂構造体と素体との境界において配線が切断するのを抑制することができる。【００１７】
また、前記複数の調整電極は、前記素体の深さ方向の厚さが同一であってもよい。【００１８】
これにより、素体の深さ方向の熱膨張係数を略均一に調整することができる。これにより、調整領域の全体にわたって、調整領域の熱膨張係数を樹脂構造体の熱膨張係数と素体熱膨張係数の間の値に調整することができる。したがって、樹脂構造体と素体との境界において配線が切断するのを抑制することができる。【００１９】
また、前記複数の調整電極は、前記内部電極に沿って前記素体の深さ方向に周期的に配置されていてもよい。【００２０】
これにより、調整領域における熱膨張係数を、内部電極に沿って均一に調整することができる。これにより、内部電極に沿って調整領域の熱膨張係数を樹脂構造体の熱膨張係数と素体熱膨張係数の間の値に調整することができる。したがって、樹脂構造体と素体との境界において配線が切断するのを抑制することができる。【００２１】
また、前記調整電極は、金属により構成されていてもよい。【００２２】
これにより、調整電極として金属を用いることで、調整領域の熱膨張率を大きくすることができる。これにより、調整領域の熱膨張係数を樹脂構造体の熱膨張係数と素体熱膨張係数の間の値に調整することができる。樹脂構造体と素体との境界において配線が切断するのを抑制することができる。【００２３】
また、前記調整電極は、前記内部電極と同一の材料により構成されていてもよい。【００２４】
これにより、調整領域における熱膨張係数を樹脂構造体の熱膨張係数と素体熱膨張係数の間の値に調整するとともに、配線層の熱膨張係数に近づけることができる。これにより、樹脂構造体と素体との境界において配線が切断するのを抑制することができる。【００２５】
また、前記調整電極は、前記内部電極から突出して形成されていてもよい。【００２６】
これにより、内部電極から徐々に熱膨張係数を大きくすることができる。したがって、調整領域の熱膨張係数を樹脂構造体の熱膨張係数と素体熱膨張係数の間の値に調整し、樹脂構造体と素体との境界での熱膨張係数の差を小さくすることができるので、樹脂構造体と素体との境界において配線が切断するのを抑制することができる。【００２７】
また、前記内部電極は、第１の内部電極と前記第１の内部電極に接続された第２の内部電極とで構成され、前記第１の内部電極および前記第２の内部電極の少なくとも１つは、インダクタであってもよい。【００２８】
これにより、電子部品としてインダクタを備える電子部品装置の熱膨張係数を調整することができる。これにより、樹脂構造体とインダクタが形成された素体との境界での熱膨張係数の差を小さくすることができるので、樹脂構造体と素体との境界において配線が切断するのを抑制することができる。【００２９】
また、前記内部電極は、第１の内部電極と第２の内部電極とで構成され、前記配線層は、第１の配線層と第２の配線層とで構成され、前記第１の内部電極は、前記第１の配線層と接続され、前記調整領域と接触しており、前記第２の内部電極は、前記第２の配線層と接続され、前記調整領域と接触しており、前記電子部品は、前記第１の内部電極に接続された第１の平面電極と、前記第２の内部電極に接続された第２の平面電極とで構成されるコンデンサであってもよい。【００３０】
これにより、電子部品としてコンデンサを備える電子部品装置の熱膨張係数を調整することができる。これにより、樹脂構造体とコンデンサが形成された素体との境界での熱膨張係数の差を小さくすることができるので、樹脂構造体と素体との境界において配線が切断するのを抑制することができる。【００３１】
また、前記素体は、前記配線層が形成された面側から平面視したときに矩形状の形状を有し、前記調整電極は、前記素体の矩形状の形状の少なくとも１つの角部を構成する２つの辺それぞれの一部に沿って形成されていてもよい。【００３２】
これにより、素体の矩形状の形状の少なくとも１つの角部にＬ字状に調整領域を設けることができる。これにより、調整電極を調整領域に多く形成できるので、調整電極と樹脂構造体、調整電極と素体２１とが接触する面積を大きくすることができる。よって、樹脂構造体と素体との境界において配線が切断するのを抑制することができる。【００３３】
また、実装基板と、前記実装基板上に実装された上述した特徴を有する電子部品装置と、前記電子部品装置上にさらに実装された実装部品とを備えてもよい。【００３４】
これにより、上述した特徴を有する電子部品装置を備えた、樹脂構造体と素体との境界において配線が切断するのを抑制することができる電子部品装置を提供することができる。【００３５】
また、前記樹脂構造体は、前記樹脂構造体の両面を貫通する貫通電極を有し、前記貫通電極は、前記実装基板および前記配線層に接続されていてもよい。【００３６】
これにより、実装部品および電子部品装置を実装基板に電気的に接続することができる。したがって、樹脂構造体と素体との境界において配線が切断するのを抑制することができる電子部品装置を、実装基板に実装することができる。【００３７】
また、前記電子部品装置を複数有し、前記実装基板と前記実装部品との間に複数の前記電子部品装置が積層されていてもよい。【００３８】
これにより、樹脂構造体と素体との境界において配線が切断するのを抑制することができる、電子部品装置が複数積層された電子部品装置を提供することができる。【００３９】
また、上記目的を達成するために、本発明の一態様に係る高周波フロントエンド回路は、上述した特徴を有する電子部品装置を高周波素子として備える。【００４０】
これにより、上述した特徴を有する電子部品装置を高周波素子として備え、樹脂構造体と素体との境界において配線が切断するのを抑制することができる高周波フロントエンド回路を提供することができる。【００４１】
また、上記目的を達成するために、本発明の一態様に係る通信装置は、アンテナ素子で送受信される高周波信号を処理するＲＦ信号処理回路と、前記アンテナ素子と前記ＲＦ信号処理回路との間で前記高周波信号を伝達する、上述した特徴を有する高周波フロントエンド回路と、を備える。【００４２】
これにより、上述した特徴を有する高周波フロントエンド回路を備え、樹脂構造体と素体との境界において配線が切断するのを抑制することができる通信装置を提供することができる。
【発明の効果】
【００４３】
本発明によれば、樹脂構造体と電子部品の素体部分との境界において配線が切断するのを抑制することができる電子部品装置、高周波フロントエンド回路、及び通信装置を提供することができる。
【図面の簡単な説明】
【００４４】
【図１】図１は、実施の形態１に係る電子部品装置の外観の一例を示す平面図である。
【図２Ａ】図２Ａは、実施の形態１に係る電子部品装置の内部構成を示す平面透視図である。
【図２Ｂ】図２Ｂは、実施の形態１に係る電子部品装置の内部構成を示す断面透視図である。
【図３Ａ】図３Ａは、実施の形態１に係る電子部品装置の内部構成の一例を示す断面透視図である。
【図３Ｂ】図３Ｂは、実施の形態１に係る電子部品装置の内部構成の他の例を示す断面透視図である。
【図４】図４は、実施の形態２に係る電子部品装置の内部構成を示す断面透視図である。
【図５】図５は、実施の形態３に係る電子部品装置の内部構成を示す断面透視図である。
【図６Ａ】図６Ａは、実施の形態３に係る電子部品装置の内部構成の一例を示す平面透視図である。
【図６Ｂ】図６Ｂは、実施の形態３に係る電子部品装置の内部構成の他の例を示す平面透視図である。
【図７Ａ】図７Ａは、実施の形態４に係る電子部品装置の内部構成を示す平面透視図である。
【図７Ｂ】図７Ｂは、実施の形態４に係る電子部品装置の内部構成を示す平面透視図である。
【図８】図８は、実施の形態５に係る通信装置および高周波フロントエンド回路の構成図である。
【図９Ａ】図９Ａは、電子部品装置の他の構成を示す断面図である。
【図９Ｂ】図９Ｂは、電子部品装置の他の構成を示す断面図である。
【発明を実施するための形態】
【００４５】
以下、本発明の実施の形態について、実施の形態およびその図面を用いて詳細に説明する。なお、以下で説明する実施の形態は、いずれも包括的または具体的な例を示すものである。以下の実施の形態で示される数値、形状、材料、構成要素、構成要素の配置および接続形態などは、一例であり、本発明を限定する主旨ではない。以下の実施の形態における構成要素のうち、独立請求項に記載されていない構成要素については、任意の構成要素として説明される。また、図面に示される構成要素の大きさまたは大きさの比は、必ずしも厳密ではない。
【００４６】
また、以下に示す図面において平面透視図および断面透視図では、簡明のため、厳密には別断面にある構成要素を同一図面内に示して説明している場合がある。
【００４７】
（実施の形態１）
本実施の形態に係る電子部品装置１は、例えば高周波信号の送受信に用いられる通信装置等に設けられている。
【００４８】
［１．電子部品装置の構成］
はじめに、本実施の形態に係る電子部品装置１の構成について説明する。図１は、本実施の形態に係る電子部品装置１を平面視したときの外観の一例を示す平面図である。図２Ａは、本実施の形態に係る電子部品装置１の内部構成を示す平面透視図である。図２Ｂ〜図３Ｂは、本実施の形態に係る電子部品装置１の内部構成を示す断面透視図である。
【００４９】
図１に示すように、電子部品装置１は、樹脂構造体１０と、樹脂構造体１０に内蔵された電子部品２０とを備えている。電子部品２０は、一方の主面が露出する状態で樹脂構造体１０に内蔵されている。また、電子部品２０および樹脂構造体１０の表面には、第１の配線層３２ａおよび第２の配線層３２ｂが配置されている。第１の配線層３２ａおよび第２の配線層３２ｂは、電子部品２０の内部電極２３に接続されており、内部電極２３、後述する調整領域２５、および、樹脂構造体１０の上に連続して設けられている。
【００５０】
樹脂構造体１０は、例えば、合成樹脂等の樹脂材料で構成されている。合成樹脂としては、エポキシ樹脂やアクリル樹脂などを用いてもよい。好ましくは、エポキシ樹脂などの合成樹脂に対し、シリカやアルミナなどの無機フィラーを添加したものであってもよい。このような無機フィラーが添加されていることにより、樹脂構造体１０による後述の電子部品２０の封止性を高めることができる。また、樹脂構造体１０の剛性を高めることができる。さらに、樹脂構造体１０の硬化時の収縮が小さくなるため、封止の精度を高めることができる。なお、樹脂構造体１０の線膨張係数を調整する方法は公知であるが、公知の方法では、樹脂構造体１０と電子部品２０の素体２１、素体２１と内部電極２３との間の線膨張係数を調整することは難しい。これに対し、電子部品装置１では、樹脂構造体１０と電子部品２０の素体２１、素体２１と内部電極２３との間の線膨張係数が調整されている。
【００５１】
電子部品２０は、図２Ａおよび図２Ｂに示すように、素体２１内に内部電極２３を有する電子部品である。より詳細には、素体２１はセラミック含有物等で構成される層が複数層積層された積層体であり、当該素体２１の内部に内部電極２３が形成されている。
【００５２】
素体２１は、例えば、アルミナ、セラミック粉末、ガラス、樹脂、または、それらの混合体により構成されている。
【００５３】
内部電極２３は、第１の内部電極２３ａと第２の内部電極２３ｂとで構成されている。第１の内部電極２３ａは、図２Ｂに示すように、素体２１を構成する各層を貫通し、素体２１の厚さ方向に柱状に形成された電極である。
【００５４】
第２の内部電極２３ｂは、第１の内部電極２３ａと異なる位置に形成された機能素子である。例えば、図２Ｂに示すように、第２の内部電極２３ｂは、素体２１を構成する各層に平面状に形成された電極と、各層に平面状に形成された電極を接続する柱状の電極とによりコイルパターンが構成されたインダクタである。図２Ｂに示す電子部品装置１では、第１の内部電極２３ａと第２の内部電極２３ｂとは、素体２１において、樹脂構造体１０から露出した一方の主面と反対側の他方の主面の近傍で接続されている。なお、第２の内部電極２３ｂは、インダクタに限らず、コンデンサ等の他の機能素子であってもよいし、第１の内部電極２３ａと同様、素体２１を構成する各層を貫通し、素体２１の厚さ方向に柱状に形成された電極であってもよい。
【００５５】
電子部品２０において、素体２１は、例えば、アルミナ、セラミック粉末、ガラス、樹脂、または、それらの混合体により構成されている。第１の内部電極２３ａおよび第２の内部電極２３ｂは、例えば、Ｃｕで構成されている。なお、第１の内部電極２３ａと第２の内部電極２３ｂとは、Ｃｕ以外の他の材料で構成されていてもよい。例えば、第１の内部電極２３ａおよび第２の内部電極２３ｂは、Ａｇ、Ｗ、Ａｕ、Ｎｉ等の良導体を主成分とする単独、合金、あるいは、上記主成分と、ガラス、樹脂、セラミックス等との混合物等で構成されていてもよい。また、第１の内部電極２３ａと第２の内部電極２３ｂとは、同一の材料で構成されていることに限らず、異なる材料で構成されていてもよい。
【００５６】
なお、上述した電子部品装置１では、一例として第１の内部電極２３ａを素体２１の厚さ方向に柱状に形成された電極としたが、第１の内部電極２３ａは、素体２１を構成する各層に平面状に形成された電極と、各層に平面状に形成された電極を接続する柱状の電極とで構成されていてもよい。第１の内部電極２３ａは、上述した第２の内部電極２３ｂと同様インダクタであってもよいし、コンデンサ等の他の機能素子であってもよい。また、第２の内部電極２３ｂには、Ｓｉなどによる半導体素子が形成されていてもよい。
【００５７】
さらに、第１の内部電極２３ａと、第１の内部電極２３ａに最も近い樹脂構造体１０の側面との間には、調整領域２５が設けられている。調整領域２５は、第１の内部電極２３ａと素体２１、素体２１と樹脂構造体１０との熱膨張係数の差が第１の配線層３２ａに与える影響を緩和するための領域である。調整領域２５は、電子部品２０の素体２１と、素体２１に形成された調整電極２７とを有している。なお、樹脂構造体１０、第１の内部電極２３ａ、素体２１、調整電極２７および調整領域２５の熱膨張係数の関係については、後述する。
【００５８】
調整電極２７は、第１の内部電極２３ａから第１の内部電極２３ａに最も近い樹脂構造体１０の側面まで、平面状に形成された電極である。調整電極２７は、第１の内部電極２３ａに沿って、素体２１の深さ方向に複数設けられている。複数の調整電極２７は同一の形状を有し、素体２１の深さ方向の厚さが同一となるように形成されている。複数の調整電極２７は、一定の間隔（例えば、間隔Ａ）を空けて第１の内部電極２３ａから櫛歯状に突出するように配置されている。なお、調整電極２７は、複数であることに限らず、１つであってもよい。また、調整電極２７は平面状でなくてもよく、他の形状であってもよい。また、調整電極２７が複数の場合、調整電極２７の形状は異なっていてもよいし、各調整電極２７の形状が全く異なるものであってもよい。また、調整電極２７は、素体２１の深さ方向に周期的（例えば、間隔Ａと間隔Ｂとを交互に繰り返す等）に配置されていてもよい。
【００５９】
調整電極２７は、例えばＣｕで構成されている。なお、調整電極２７は、Ｃｕに限らず、Ａｇ、Ｎｉ、Ｗなど他の金属材料により構成されていてもよい。調整電極２７は、電子部品２０の内部電極２３と同一の材料により構成されていてもよいし、後述する第１の配線層３２ａおよび第２の配線層３２ｂと同一の材料により構成されていてもよい。
【００６０】
さらに、電子部品２０および樹脂構造体１０の上方には、電子部品２０の第１の内部電極２３ａに接続された第１の配線層３２ａと、第２の内部電極２３ｂに接続された第２の配線層３２ｂとが配置されている。第１の配線層３２ａと樹脂構造体１０との間、および、第１の配線層３２ａと電子部品２０の素体２１との間には、絶縁層３０が設けられている。同様に、第２の配線層３２ｂと樹脂構造体１０との間、および、第２の配線層３２ｂと電子部品２０の素体２１との間には、絶縁層３０が設けられている。絶縁層３０は、例えば、エポキシ樹脂、アクリル樹脂、ポリイミド、ＰＢＯ（パラフェニレンベンゾビスオキサゾール）、ＢＣＢ（ベンゾシクロブテン）等で構成されている。
【００６１】
ただし、絶縁層３０に関しては、樹脂構造体、素体の絶縁特性が十分確保できる場合には、部分的に、あるいは全面的に削除されていてもかまわない。
【００６２】
［２．熱膨張係数の調整］
ここで、樹脂構造体１０、内部電極２３、素体２１、調整電極２７および調整領域２５の熱膨張係数の関係について説明する。なお、以下では、内部電極２３の熱膨張係数は、第１の内部電極２３ａと第２の内部電極２３ｂの全体の平均的な熱膨張係数とする。
【００６３】
樹脂構造体１０に内蔵された電子部品２０の素体２１は、例えばセラミック含有物で構成されているため、素体２１の熱膨張係数は、樹脂構造体１０および内部電極２３のいずれよりも小さい方が好ましい。この場合には、電子部品装置１では、樹脂構造体１０と内部電極２３の間に、樹脂構造体１０および内部電極２３よりも熱膨張係数の小さい素体２１が配置されているため、素体２１の上に配置された第１の配線層３２ａは、素体２１と樹脂構造体１０との境界で断線が生じやすい。
【００６４】
そこで、樹脂構造体１０と第１の内部電極２３ａの間の素体２１が配置された領域を調整領域２５とし、調整領域２５に調整電極２７を設けている。調整電極２７の熱膨張係数は、素体２１よりも大きい。したがって、調整領域２５における熱膨張係数は、調整領域２５が素体２１のみで構成されている場合に比べて大きくなる。このとき、樹脂構造体１０、調整領域２５および内部電極２３の熱膨張係数の関係は、調整領域２５の熱膨張係数が、内部電極２３の熱膨張係数よりも大きく、樹脂構造体１０の熱膨張係数よりも小さくなるように調整する。つまり、樹脂構造体１０の熱膨張係数＜調整領域２５の熱膨張係数＜内部電極２３の熱膨張係数の順に熱膨張係数の大きさを調整することにより、樹脂構造体１０と調整領域２５、および、調整領域２５と内部電極２３のそれぞれの熱膨張係数差を小さくすることで、第１の配線層３２ａが断線するのを抑制している。
【００６５】
なお、樹脂構造体１０の熱膨張係数と調整領域２５の熱膨張係数は同一であってもよいし、調整領域２５と内部電極２３の熱膨張係数は同一であってもよい。つまり、樹脂構造体１０、調整領域２５および内部電極２３の熱膨張係数を、樹脂構造体１０の熱膨張係数≦調整領域２５の熱膨張係数≦内部電極２３の熱膨張係数、という関係式を満たすように調整してもよい。
【００６６】
調整領域２５の熱膨張係数の調整は、調整電極２７の大きさ、材料、調整領域２５に占める割合、配置位置等により調整することができる。
【００６７】
以下、熱膨張係数の実際の値及び調整値の一例について、説明する。
【００６８】
内部電極２３の熱膨張係数は、例えば、内部電極２３としてＣｕを用いる場合、Ｃｕの熱膨張係数である１６．８ｐｐｍ／℃である。
【００６９】
また、素体２１の熱膨張係数は、素体２１はセラミックまたはセラミック含有物であるため、例えば６〜１１ｐｐｍ／℃である。
【００７０】
また、内部電極２３の熱膨張係数は、内部電極２３の材料である導体金属の線膨張係数に近い値となる。なお、内部電極２３の一部に内部電極２３と線膨脹係数の異なる添加物を加えた場合には、内部電極２３の熱膨張係数を変化させることができる。例えば、導体金属の線膨脹係数よりも線膨脹係数が小さい添加物を内部電極２３に添加した場合は、内部電極２３の線膨脹係数を導体金属の線膨脹係数よりも小さくすることが可能となる。また、導体金属の線膨脹係数よりも線膨脹係数が大きい添加物を内部電極２３に添加した場合は、内部電極２３の線膨脹係数を導体金属の線膨脹係数よりも大きくすることが可能となる。
【００７１】
また、電子部品２０の熱膨張係数は、素体２１の部分と内部電極２３の部分では線膨張係数値は異なるが、例えば６〜１１ｐｐｍ／℃である。
【００７２】
さらに、樹脂構造体１０の熱膨張係数は、素体２１に内蔵される電極等と関連して適宜設定してもよい。例えば、樹脂構造体１０の熱膨張係数は、内部電極２３の熱膨張係数と近い値としてもよい。内部電極２３としてＣｕを用いる場合、樹脂構造体１０の熱膨張係数は、Ｃｕの熱膨張係数と同一の１６．８ｐｐｍ／℃程度としてもよい。
【００７３】
ここで、樹脂構造体１０の熱膨張係数が７〜１８ｐｐｍ／℃、素体２１の熱膨張係数が６〜１１ｐｐｍ／℃、内部電極２３の熱膨張係数が１２〜２６ｐｐｍ／℃である場合の調整領域２５の熱膨張係数について説明する。この場合、調整領域２５における素体２１に対して調整電極２７を配置することにより、調整領域２５の熱膨張係数を樹脂構造体１０の熱膨張係数に近接させる。
【００７４】
上述した熱膨張係数範囲内においては、樹脂構造体１０の熱膨張係数は７〜１８ｐｐｍ／℃、調整後の調整領域２５の熱膨張係数は６〜２４ｐｐｍ／℃であることが好ましい。なお、実際の構成構造や所望の改善効果の度合いによっては、熱膨張係数は、この範囲内に限定されるものではない。
【００７５】
例えば、樹脂構造体１０を１６ｐｐｍ／℃、素体２１を８ｐｐｍ／℃、内部電極２３を１８ｐｐｍ／℃とした場合では、調整領域２５を素体２１そのままの構造としたとき、調整領域２５に設けられる調整電極２７の占める比率を調整して、調整領域２５における熱膨張係数を１０ｐｐｍ／℃となるように調整電極２７を設けることにより、不具合は解消される。つまり、樹脂構造体１０と調整後（調整電極２７を設けた後）の調整領域２５の熱膨張係数差が６ｐｐｍ／℃またはこれ以下となるように調整電極２７を設けることが好ましい。
【００７６】
例えば、−４０℃と１２５℃で各３０分加熱または冷却するヒートサイクル試験を１００サイクル行った後において、樹脂構造体１０と調整後（調整電極２７を設けた後）の調整領域２５の熱膨張係数差が６ｐｐｍ／℃以内の場合は、１００サイクル後の第１の配線層３２ａの断線故障は発生していなかったが、樹脂構造体１０と調整後（調整電極２７を設けた後）の調整領域２５の熱膨張係数差が６ｐｐｍ／℃より大きい場合には、第１の配線層３２ａの断線または第１の配線層３２ａの抵抗値の悪化が生じている。したがって、樹脂構造体１０と調整後（調整電極２７を設けた後）の調整領域２５の熱膨張係数差が６ｐｐｍ／℃またはこれ以下となるように調整電極２７を設けることが好ましい。
【００７７】
また、上記ヒートサイクル試験において、樹脂構造体１０と調整後（調整電極２７を設けた後）の調整領域２５の熱膨張係数差は、３ｐｐｍ／℃以内としておくことがより望ましいと分かった。したがって、調整領域２５に設けられる調整電極２７の占める比率を調整して、調整領域２５における熱膨張係数が１３ｐｐｍ／℃となるように調整電極２７を設けてもよい。つまり、樹脂構造体１０と調整後（調整電極２７を設けた後）の調整領域２５の熱膨張係数差が３ｐｐｍ／℃またはこれ以下となるように調整電極２７を設けてもよい。
【００７８】
調整領域２５の熱膨張係数の調整は、調整電極２７として用いる材料の種類、大きさ、調整電極２７の調整領域２５に占める割合、配置位置等により調整することができる。
【００７９】
例えば、調整電極２７は、図２Ｂに示す電子部品装置１では、第１の内部電極２３ａと接触しているとしたが、この構成に限定されず、調整電極２７は第１の内部電極２３ａに接触していない構成としてもよい。また、調整電極２７は、図２Ｂに示す電子部品装置１では、樹脂構造体１０と接触しているとしたが、この構成に限定されず、調整電極は樹脂構造体１０に接触していない構成としてもよい。例えば、図３Ａに示す電子部品装置１ａのように、調整電極２７は、第１の内部電極２３ａとは接触し、樹脂構造体１０とは接触していない構成であってもよい。また、図３Ｂに示す電子部品装置１ｂのように、調整電極２７は、樹脂構造体１０とは接触し、第１の内部電極２３ａとは接触していない構成であってもよい。
【００８０】
また、図２Ｂに示す電子部品装置１では、調整電極２７の材料としてＣｕを用いたが、調整電極２７の材料はこれに限定されず、Ａｇ、Ｎｉ、Ｗなどの金属材料を用いてもよい。調整電極２７の材料は、内部電極２３、樹脂構造体１０および素体２１の熱膨張係数に応じて、これらの金属材料を適宜選択してもよい。また、調整電極２７の材料は、金属材料により形成された電極に限らず、素体２１よりも線膨張係数の大きい材料により形成された部材であれば、他の材料により構成されてもよい。
【００８１】
また、上述したように、調整電極２７を複数設け、複数の調整電極２７を同一の形状としてもよい。また、複数の調整電極２７は、一定の間隔を空けて内部電極２３に沿って素体２１の深さ方向に配置してもよい。また、調整電極２７は、複数であることに限らず、１つであってもよい。また、調整電極２７が複数の場合、調整電極２７の形状は異なっていてもよいし、また、調整電極２７は、周期的に配置されてもよいし、周期的に配置されていなくてもよい。
【００８２】
［３．効果等］
以上、本実施の形態に係る電子部品装置１によると、樹脂構造体１０と内部電極２３との間に配置されている素体２１に調整電極２７を配置することにより、樹脂構造体１０と内部電極２３との間の領域を調整領域２５として、樹脂構造体１０と素体２１、素体２１と内部電極２３との熱膨張係数の差を小さくすることができる。これにより、樹脂構造体１０と素体２１との境界において配線が切断するのを抑制することができる。
【００８３】
なお、電子部品２０に内蔵される第２の内蔵電極２３ｂとして、コンデンサ、インダクタなどを具体例として例示したが、本発明においては、樹脂構造体１０と内部電極２３との熱膨張係数の調整による熱衝撃耐性の向上を目的としているため、コンデンサ、インダクタなどの機能素子の種類によらず、本発明による効果を得ることができる。
【００８４】
また、上記実施の形態における電子部品装置１は、それ単体でもプリント配線基板などに搭載して機能させることが可能であるが、内部電極２３、第１の配線層３２ａまたは第２の配線層３２ｂを介して接続された実装部品などを設けてもよい。さらに、実装部品を電子部品装置に樹脂モールドするなどして密度を高めた電子部品装置、パッケージとしても使用可能である。
【００８５】
（実施の形態２）
次に、実施の形態２について図４を用いて説明する。図４は、本実施の形態に係る電子部品装置２の内部構成を示す断面図である。
【００８６】
本実施の形態に係る電子部品装置２が実施の形態１に示した電子部品装置１と異なる点は、内部電極１２３および調整電極１２７の形状が、実施の形態１にかかる内部電極２３および調整電極２７と異なる点である。その他の部分については、実施の形態１に示した電子部品装置２と同様であるため、詳細な説明は省略する。
【００８７】
図４に示すように、電子部品装置２では、内部電極１２３は、複数の第１の内部電極１２３ａと、第２の内部電極１２３ｂとで構成されている。第２の内部電極１２３ｂの構成は、実施の形態１に示した第２の内部電極２３ｂと同様であるため、説明を省略する。
【００８８】
複数の第１の内部電極１２３ａのそれぞれは、素体２１の深さ方向に所定の高さを有する柱状の内部電極である。所定の高さとは、たとえば、図４に示したように、電子部品１２０における素体２１の厚さを５等分した大きさである。複数の第１の内部電極１２３ａは、第１の配線層３２ａの電子部品２０と接続される側の端部の下の領域と調整領域１２５とに、交互に配置されている。
【００８９】
また、複数の第１の内部電極１２３ａのそれぞれの上下には、調整電極１２７が接続されている。さらに、隣接する異なる第１の内部電極１２３ａに接続された調整電極１２７を互いに接続することにより、複数の第１の内部電極１２３ａは、調整電極１２７を介して接続されている。
【００９０】
例えば、図４では、第１の配線層３２ａの電子部品１２０と接続される側の端部の下の領域には、第１の内部電極１２３ａが３つ配置されている。また、各第１の内部電極１２３ａの上下面には、調整電極１２７が接続されている。同様に、調整領域１２５には、第１の内部電極１２３ａが３つ配置されている。各第１の内部電極１２３ａの上下面には、調整電極１２７が接続されている。さらに、第１の配線層３２ａの電子部品１２０と接続される側の端部の下の領域の調整電極１２７と調整領域１２５の調整電極１２７とは、素体２１の厚さ方向に第１の内部電極１２３ａが交互に配置される高さに接続されるように、それぞれの領域に配置されている。
【００９１】
このように、第１の配線層３２ａの電子部品１２０と接続される側の端部の下の領域と調整領域１２５とでは、第１の内部電極１２３ａと調整電極１２７との配置数が同数または近い配置数であるので、第１の配線層３２ａの電子部品１２０と接続される側の端部の下の領域の熱膨張係数と調整領域１２５における熱膨張係数との差をより小さくすることができる。したがって、第１の配線層３２ａが内部電極と調整領域１２５との境界で断線するのを抑制することができる。
【００９２】
なお、本実施の形態に係る電子部品装置２では、第１の内部電極１２３ａの高さは、電子部品１２０における素体２１の厚さを５等分した大きさとしたが、第１の内部電極１２３ａの高さはこれに限定されず、電子部品１２０における素体２１の厚さ方向に複数個の第１の内部電極１２３ａが配置される構成であればよい。
【００９３】
（実施の形態３）
次に、実施の形態３について図５〜図６Ｂを用いて説明する。図５は、本実施の形態に係る電子部品装置の内部構成を示す断面図である。図６Ａは、本実施の形態に係る電子部品装置の内部構成の一例を示す平面透視図である。図６Ｂは、本実施の形態に係る電子部品装置の内部構成の他の例を示す平面透視図である。なお、図６Ａおよび図６Ｂでは、樹脂構造体１０の図示を省略し、電子部品の部分のみ示している。樹脂構造体１０は、図６Ａおよび図６Ｂに示した構造の周囲に配置される。
【００９４】
本実施の形態に係る電子部品装置３が実施の形態１に示した電子部品装置１と異なる点は、電子部品２２０がコンデンサを構成している点である。
【００９５】
図５に示すように、電子部品２２０は、素体２２１に内部電極２２３を有している。内部電極２２３は、第１の内部電極２２３ａと第２の内部電極２２３ｂとで構成されている。第１の内部電極２２３ａと第２の内部電極２２３ｂの構成は、実施の形態１に示した第１の内部電極２３ａと同様であるため、詳細な説明は省略する。
【００９６】
第１の内部電極２２３ａは、調整領域２２６に調整電極２２７ａを有している。調整領域２２６および調整電極２２７ａの構成は、実施の形態１に示した調整領域２５および調整電極２７と同様であるため、詳細な説明は省略する。
【００９７】
また、第１の内部電極２２３ａは、調整領域２２６から第１の内部電極２２３ａを挟んで反対側の領域に、第１の内部電極２２３ａと接続された電極２２４ａおよび２２５ａとを備えている。電極２２４ａおよび２２５ａは、第１の内部電極２２３ａに沿って素体２２１の深さ方向に交互に配置されている。電極２２４ａの長さは電極２２５ａと比べて長く形成されている。
【００９８】
同様に、第２の内部電極２２３ｂは、調整領域２２６から第２の内部電極２２３ｂを挟んで反対側の領域に、第２の内部電極２２３ｂと接続された電極２２４ｂおよび２２５ｂとを備えている。電極２２４ｂおよび２２５ｂは、第１の内部電極２２３ｂに沿って素体２２１の深さ方向に交互に配置されている。電極２２４ｂの長さは電極２２５ｂと比べて長く形成されている。
【００９９】
ここで、図６Ａは、図５に示したVIA-VIA線における、電子部品２２０の断面図を示している。図６Ａに示すように、素体２２１において、電極２２５ａと電極２２４ｂは、間を空けて同層に形成されている。電極２２５ａと電極２２４ｂとの間では、素体２２１が露出している。同様に、電極２２４ａと電極２２５ｂは、間を空けて同層に形成されている。電極２２４ａと電極２２５ｂとの間では、素体２１が露出している。また、電極２２４ａと電極２２４ｂとは、平面視したときに電極２２４ａと電極２２４ｂそれぞれの一部が重複するように配置されている。これにより、電極２２４ａと電極２２４ｂはコンデンサとして機能する。また、電極２２４ａと電極２２５ｂとで構成されるコンデンサは、それぞれ第１の内部電極２２３ａと第２の内部電極２２３ｂとに接続されている。なお、電極２２４ａと電極２２４ｂは、本発明における第１の平面電極および第２の平面電極に相当する。
【０１００】
さらに、第１の内部電極２２３ａと第２の内部電極２２３ｂは、それぞれ第１の配線層３２ａと第２の配線層３２ｂに接続されている。第１の配線層３２ａと第２の配線層３２ｂは、実施の形態１に示した第１の配線層３２ａおよび第２の配線層３２ｂと同様であるため、説明を省略する。
【０１０１】
このような構成により、電子部品としてコンデンサを有する電子部品２２０についても、樹脂構造体１０と第１の内部電極２２３ａとの間の調整領域２２６において、素体２２１に調整電極２２７ａを配置することにより、樹脂構造体１０と素体２２１との熱膨張係数の差、素体２２１と第１の内部電極２２３ａとの熱膨張係数の差を小さくすることができる。よって、樹脂構造体１０と素体２２１との境界において第１の配線層３２ａが切断するのを抑制することができる。
【０１０２】
なお、樹脂構造体１０と第２の内部電極２２３ｂとの間においても同様に、素体２２１に調整電極２２７ｂを配置することにより、樹脂構造体１０と素体２２１との熱膨張係数の差、素体２２１と第２の内部電極２２３ｂとの熱膨張係数の差を小さくすることができる。これにより、樹脂構造体１０と素体２２１との境界において第２の配線層３２ｂが切断するのを抑制することができる。
【０１０３】
また、素体２２１において、電極２２５ａと電極２２４ｂとは、図６Ｂに示すように、電極２２５ａと電極２２４ｂとの間以外でも素体２２１が露出していてもよい。同様に、電極２２４ａと電極２２５ｂとは、電極２２４ａと電極２２５ｂとの間以外でも素体２２１が露出していてもよい。
【０１０４】
（実施の形態４）
次に、実施の形態４について図７Ａおよび図７Ｂを用いて説明する。図７Ａおよび図７Ｂは、本実施の形態に係る電子部品装置４および５の内部構成の一例を示す平面透視図である。なお、図７Ａおよび図７Ｂでは、樹脂構造体１０および第１の配線層３２ａおよび第２の配線層３２ｂの図示を省略し、電子部品の部分のみ示している。樹脂構造体１０は、図７Ａに示した構造の周囲に配置される。第１の配線層３２ａは、電子部品２０の内部電極３２３に接続されており、内部電極３２３、調整領域３２５ａ、樹脂構造体１０の上に連続して設けられている。第２の配線層３２ｂは、電子部品２０の内部電極３２３に接続されており、内部電極３２３、調整領域３２５ｂ、樹脂構造体１０の上に連続して設けられている。
【０１０５】
本実施の形態に係る電子部品装置４が実施の形態１に示した電子部品装置１と異なる点は、調整電極を配置する位置が実施の形態１に示した電子部品装置１と異なる点である。
【０１０６】
図７Ａに示すように、電子部品装置４の素体２１は、内部電極３２３を有している。内部電極３２３は、第１の内部電極３２３ａと第２の内部電極３２３ｂとで構成されている。第２の内部電極３２３ｂの構成は、実施の形態１に示した第２の内部電極２３ｂと同様であるため、説明を省略する。
【０１０７】
素体２１は、素体２１の一方の主面すなわち第１の配線層３２ａ（図２Ａおよび図２Ｂ参照）が形成される面側から電子部品装置４を平面視したときに、矩形状の形状をしている。そして、矩形状の素体２１の角部には、素体２１の少なくとも１つの角部を構成する２つの辺それぞれの一部に沿って、調整電極３２７ａおよび３２７ｂが形成されている。つまり、調整電極３２７ａおよび３２７ｂは、素体２１の矩形状の形状の少なくとも１つの角部に、Ｌ字状に形成されている。
【０１０８】
また、図７Ａに示すように、調整電極３２７ａおよび３２７ｂは、素体２１において対向する一組の角部に設けられている。調整電極３２７ａは、第１の内部電極３２３ａに接続されている。
【０１０９】
この構成によれば、調整電極３２７ａおよび３２７ｂと樹脂構造体１０、調整電極３２７ａおよび３２７ｂと素体２１とが接触する面積を大きくすることができるので、調整領域３２５ａにおける熱膨張係数を樹脂構造体１０および内部電極３２３の熱膨張係数により早く近づけることができる。これにより、樹脂構造体１０と素体２１、素体２１と内部電極３２３との境界において、第１の配線層３２ａおよび第２の配線層３２ｂが切断するのを抑制することができる。
【０１１０】
なお、上述した調整電極３２７ａおよび３２７ｂは、第１の配線層３２ａが形成される面側から電子部品装置４を平面視したときに、素体２１において対向する一組の角部に設けられているとしたが、これに限定されず、素体２１において対向しない角部、すなわち、隣り合う角部に設けられていてもよい。
【０１１１】
また、図７Ｂに示す電子部品装置５のように、素体２１において、１つの角部にのみ調整領域３２５ａおよび調整電極３２７ａが設けられていてもよい。
【０１１２】
（実施の形態５）
次に、実施の形態５について図８を用いて説明する。
【０１１３】
上述した実施の形態１〜４で説明した電子部品装置は、高周波フロントエンド回路および高周波フロントエンド回路を備えた通信装置等に適用することができる。そこで、本実施の形態では、このような高周波フロントエンド回路および通信装置について、上述した実施の形態１〜４に係る電子部品装置を備える構成について説明する。
【０１１４】
図８は、実施の形態に係る高周波フロントエンド回路５１及びその周辺回路の構成図である。図８には、高周波フロントエンド回路５１とともに通信装置５０を構成する、アンテナ素子５２及びＲＦＩＣ５３とが示されている。なお、通信装置５０は、本実施の形態ではアンテナ素子５２を内蔵しているが、内蔵していなくてもかまわない。
【０１１５】
アンテナ素子５２は、高周波信号を送受信する、例えばマルチバンド対応のアンテナである。
【０１１６】
ＲＦＩＣ５３は、アンテナ素子５２で送受信される高周波信号を処理するＲＦ信号処理回路である。具体的には、ＲＦＩＣ５３は、ベースバンド信号処理回路（図示せず）から入力された送信信号をアップコンバートなどにより信号処理し、当該信号処理して生成された高周波信号（ここでは高周波送信信号）を高周波フロントエンド回路５１の送信側信号経路に出力する。また、ＲＦＩＣ５３は、アンテナ素子５２から高周波フロントエンド回路５１の受信側信号経路（図示せず）を介して入力された高周波信号（ここでは高周波受信信号）を、ダウンコンバートなどにより信号処理し、当該信号処理して生成された受信信号をベースバンド信号処理回路へ出力する。
【０１１７】
高周波フロントエンド回路５１は、アンテナ素子５２とＲＦＩＣ５３との間で高周波信号を伝達する回路である。具体的には、高周波フロントエンド回路５１は、ＲＦＩＣ５３から出力された高周波信号（ここでは高周波送信信号）を、送信側信号経路を介してアンテナ素子５２に伝達する。なお、高周波フロントエンド回路５１は、アンテナ素子５２で受信された高周波信号（ここでは高周波受信信号）を、受信側信号経路（図示せず）を介してＲＦＩＣ５３に伝達してもよい。
【０１１８】
本実施の形態では、高周波フロントエンド回路５１は、増幅回路群５２０と、フィルタ群５３０と、スイッチ回路５４０とを備える。
【０１１９】
増幅回路群５２０は、複数のバンドに個別に対応する増幅回路を含む。具体的には、増幅回路は、ＲＦＩＣ５３から出力された高周波送信信号を電力増幅する１以上のパワーアンプによって構成され、本実施の形態では、多段接続（縦続接続）された２段のパワーアンプによって構成される。
【０１２０】
フィルタ群５３０は、複数のバンドに個別に対応するフィルタを含み、増幅回路群５２０で増幅された高周波信号を対応するバンドの周波数帯域でフィルタリングする。本実施の形態では、フィルタ群５３０は、ローバンドの周波数帯域（ローバンドのセルラー帯域）を通過帯域とするフィルタと、ハイバンドの周波数帯域（ハイバンドのセルラー帯域）を通過帯域とするフィルタとを有する。
【０１２１】
スイッチ回路５４０は、アンテナ素子５２に接続された共通端子、および、当該端子と選択的に接続される複数の選択端子（本実施の形態では２つの選択端子）を有する。ここで、複数の選択端子は、フィルタ群５３０を構成する複数のフィルタに個別に接続されている。スイッチ回路５４０は、ＲＦＩＣ５３等の制御部からの制御信号にしたがって、複数の選択端子のいずれかと共通端子とを接続する。なお、共通端子と接続される選択端子は１つに限らず、複数であってもかまわない。
【０１２２】
本実施の形態において、増幅回路群５２０、フィルタ群５３０、スイッチ回路５４０の少なくともいずれかには、実施の形態１〜４に示した電子部品装置が設けられている。
【０１２３】
このように構成された通信装置５０および高周波フロントエンド回路５１は、ＲＦＩＣ５３から出力された高周波信号（ここでは高周波送信信号）を増幅して送信側信号経路を介してアンテナ素子５２に伝達する。なお、高周波フロントエンド回路５１は、アンテナ素子５２で受信された高周波信号（ここでは高周波受信信号）を受信側信号経路（図示せず）を介してＲＦＩＣ５３に伝達してもよい。
【０１２４】
上述した実施の形態１〜４に示した電子部品装置を使用することにより、電子部品装置は、樹脂構造体と素体との熱膨張係数の差、素体と内部電極との熱膨張係数の差を小さくすることができる。これにより、樹脂構造体と素体との境界において第１の配線層が切断するのを抑制することができる。よって、電子部品装置、高周波フロントエンド回路、通信装置において、熱膨張係数の差により生じる配線の断線等を抑制することができる。
【０１２５】
なお、通信装置５０および高周波フロントエンド回路５１は、１つの受信フィルタのみあるいは１つの送信フィルタのみを備える構成であってもよいし、複数の受信フィルタあるいは複数の送信フィルタを備える構成であってもよい。また、通信装置５０および高周波フロントエンド回路５１は、少なくとも１つの送信フィルタと少なくとも１つの受信フィルタとを備える送受信用の構成であってもよい。
【０１２６】
（その他の実施の形態など）
以上、本発明の実施の形態に係る電子部品装置について、実施の形態を挙げて説明したが、本発明に係る電子部品装置は、上記実施の形態に限定されるものではない。上記実施の形態における任意の構成要素を組み合わせて実現される別の実施の形態や、上記実施の形態に対して本発明の主旨を逸脱しない範囲で当業者が思いつく各種変形を施して得られる変形例や、上記電子部品装置を内蔵した通信装置、各種機器も本発明に含まれる。
【０１２７】
例えば、図９Ａに示すように、電子部品装置は、第１の配線層３２ａおよび第２の配線層３２ｂに形成されたはんだ実装用パッド上に実装部品１０２を実装したものであってもよい。実装部品１０２は、例えばフィルタ等の高周波回路部品、インダクタ、コンデンサ等の電子部品である。より詳細には、高周波回路部品として、弾性波フィルタ、圧電共振子、積層コンデンサなどの電子部品を用いてもよい。また、実装部品１０２として、モジュール部品を用いてもよい。また、実装部品１０２は、実装基板であってもよい。
【０１２８】
また、実装部品１０２が実装された電子部品装置１は、さらに、電子部品装置１００上に実装部品１０２を封止する封止層１０４を備えていてもよい。封止層１０４を構成する材料としては、ポリイミド、ベンゾシクロブテン、ポリベンゾオキサゾール、フェノール系、シリコーン系などの樹脂を用いてもよい。
【０１２９】
さらに、電子部品装置は、図９Ａに示すように、はんだボール１０５を介して実装基板であるモジュール基板１５０の上に実装されていてもよい。
【０１３０】
また、電子部品装置は、図９Ａに示した実装部品１０２とモジュール基板１５０との間に、複数の電子部品装置１００が積層された構成であってもよい。例えば、図９Ｂに示すように、実装部品１０２とモジュール基板１５０との間に２つの電子部品装置１００が積層されている。はんだボール１０５と、電子部品装置１００の基板１０の両面を貫通する貫通電極１２１とを介して、実装部品１０２、２つの電子部品装置１００、モジュール基板１５０が電気的に接続されていてもよい。
【０１３１】
また、上記実施の形態に係る電子部品装置において、電子部品は、コンデンサを含むものであってもよいし、インダクタを含むものであってもよい。また、他の多層電子部品を含むものであってもよい。
【０１３２】
また、電子部品における素体は、セラミックおよびセラミック含有物等で構成されていてもよい。素体は、例えば、アルミナ、セラミック粉末、ガラス、樹脂などの混合体により構成されていてもよいし他の材料で構成されていてもよい。内部電極は、例えばＣｕ、Ａｇ、Ｗ、Ａｕ、Ｎｉ等の良導体を主成分とする単独、合金、あるいは、上記主成分と、ガラス、樹脂、セラミックス等との混合物等で構成されていてもよい。電子部品と内部電極とは、同一の材料で形成されていてもよいし、異なる材料で形成されていてもよい。
【０１３３】
また、調整電極は、内部電極と接続していてもよいし、接続していなくてもよい。また、調整電極は、樹脂構造体と接触していてもよいし、接触していなくてもよい。
【０１３４】
また、調整電極の材料としては、例えばＣｕ、Ａｇ、Ｎｉ、Ｗなどの金属材料を用いてもよいしその他の材料を用いてもよい。内部電極、樹脂構造体および素体の熱膨張係数に応じて、調整電極の材料としてこれらの金属材料を適宜選択してもよい。また、金属材料により形成された電極に限らず、素体よりも線膨張係数の大きい材料により形成された部材であれば、どのような構成であってもよい。
【０１３５】
また、調整電極を複数設け、複数の調整電極２７を同一の形状としてもよい。また、複数の調整電極は、一定の間隔を空けて内部電極に沿って素体の深さ方向に配置してもよい。また、調整電極は、複数であることに限らず、１つであってもよい。また、調整電極が複数の場合、調整電極の形状は異なっていてもよいし、また、調整電極は、周期的に配置されてもよいし、周期的に配置されていなくてもよい。
【０１３６】
また、上述した電子部品装置は、デュプレクサ、高周波フロントエンド回路、フィルタなどを含む通信装置に用いてもよい。
【産業上の利用可能性】
【０１３７】
本発明は、電子部品が内蔵されたスイッチ、デュプレクサ、及びフィルタなどを含む通信モジュール、例えば、携帯電話機等に用いられるＲＦモジュール等に利用できる。
【符号の説明】
【０１３８】
１、１ａ、１ｂ、２、３、４、５、１００    電子部品装置
１０    樹脂構造体
２０、１２０、２２０    電子部品
２１、２２１    素体
２３、１２３、２２３、３２３    内部電極
２３ａ、１２３ａ、２２３ａ、３２３ａ    第１の内部電極
２３ｂ、１２３ｂ、２２３ｂ、３２３ｂ    第２の内部電極
２５、１２５、２２６、３２５ａ、３２５ｂ    調整領域
２７、１２７、２２７ａ、２２７ｂ、３２７ａ、３２７ｂ    調整電極
３０    絶縁層
３２ａ    第１の配線層
３２ｂ    第２の配線層
５０    通信装置
５１    高周波フロントエンド回路
５２    アンテナ素子
５３    ＲＦＩＣ（ＲＦ信号処理回路）
１０２    実装部品
１０３、１０５    バンプ
１０４    封止層
１０５    はんだボール
１２１    貫通電極
１２２ａ、１２２ｃ    第１の配線
１２４ａ、１２４ｃ    第２の配線  １５０    モジュール基板（実装基板）
２２４ａ    電極（第１の平面電極）
２２４ｂ    電極（第２の平面電極）
２２５ａ、２２５ｂ    電極（調整電極）
５２０    送信増幅回路群
５３０    フィルタ群
５４０    スイッチ回路
【図１】
0006583570.tif 000002
【図２Ａ】
0006583570.tif 000003
【図２Ｂ】
0006583570.tif 000004
【図３Ａ】
0006583570.tif 000005
【図３Ｂ】
0006583570.tif 000006
【図４】
0006583570.tif 000007
【図５】
0006583570.tif 000008
【図６Ａ】
0006583570.tif 000009
【図６Ｂ】
0006583570.tif 000010
【図７Ａ】
0006583570.tif 000011
【図７Ｂ】
0006583570.tif 000012
【図８】
0006583570.tif 000013
【図９Ａ】
0006583570.tif 000014
【図９Ｂ】
0006583570.tif 000015